(57)【要約】  本発明は、微分位相コントラスト撮像用のＸ線撮像システムにおける位置ずれの処理に関する。微分位相コントラスト撮像システムにおける、製造及びメンテナンスのための事前調整及び調節の要件の軽減を提供するために、Ｘ線源１４及びＸ線の検出器１６と、ソース格子２０、位相格子２２、及び分析格子２４を有し、ソース格子はＸソースと位相格子との間に配置され、分析格子は位相格子と検出器との間に配置される、格子アレンジメント１８とを具備する微分位相コントラストセットアップ１２を有する、微分位相コントラスト撮像用のＸ線撮像システム１０が提供される。更に、検査中の対象物と少なくとも１つの格子との間の相対的移動のための移動アレンジメントが提供され、処理ユニット３２、及びソース格子を並進させるための並進アレンジメント３４も提供される。位相格子、分析格子、及び検出器は、干渉計ユニット３６内に位相格子と分析格子とが互いに平行に据え付けられる固定の干渉計ユニットとして提供される。ソース格子は、検出器の平面においてモアレ縞が検出可能であるように、干渉計ユニットに対して位置ずれされる。処理ユニットは、Ｘ線放射に際して検出器によって提供される信号におけるモアレパターンを検出する。処理ユニットは更に、所定のモアレパターンを達成するためにソース格子を並進させるための並進信号３８を計算する。並進アレンジメントは、並進信号の値に基づいて、ソース格子の位置決めを少なくともＸ線投射方向３０に調節する。
2015529510.tif 000002
【特許請求の範囲】
【請求項１】
Ｘ線源及びＸ線の検出器と、
ソース格子、位相格子、及び分析格子を有し、前記ソース格子は前記Ｘソースと前記位相格子との間に配置され、前記分析格子は前記位相格子と前記検出器との間に配置される、格子アレンジメントと、
検査中の対象物と少なくとも１つの格子との間の相対的移動のための移動アレンジメントと、
を具備する微分位相コントラストセットアップと、
処理ユニットと、
前記ソース格子を並進させるための並進アレンジメントと、
を有し、
前記位相格子、前記分析格子、及び前記検出器は、干渉計ユニット内に前記位相格子と前記分析格子とが互いに平行に据え付けられる固定の当該干渉計ユニットとして提供され、
前記ソース格子は、前記検出器の平面においてモアレ縞が検出可能であるように、前記干渉計ユニットに対して位置ずれされ、
前記処理ユニットは、Ｘ線放射に際して前記検出器によって提供される信号内のモアレパターンを検出し、
前記処理ユニットは更に、所定のモアレパターンを達成するために前記ソース格子を並進させるための並進信号を計算し、
前記並進アレンジメントは、前記並進信号の値に基づいて、前記ソース格子の位置決めを少なくともＸ線投射方向に調節する、
微分位相コントラスト撮像用のＸ線撮像システム。
【請求項２】
前記並進アレンジメントは、前記ソース格子を傾ける、請求項１に記載のＸ線撮像システム。
【請求項３】
前記並進アレンジメントは、Ｘソースユニット及び／又はＸ線検出ユニットを位置合わせするための少なくとも１つのアクチュエータを有する、請求項１又は２に記載のＸ線撮像システム。
【請求項４】
前記少なくとも１つのアクチュエータは、
ｉ）圧電アクチュエータ及び／又は
ｉｉ）モータ駆動のマイクロメータねじ
として提供され、これら両方は約１マイクロメートル〜約１０ミリメートルの範囲での移動を提供する、請求項１乃至３の何れか一項に記載のＸ線撮像システム。
【請求項５】
前記ソース格子は、少なくとも２πの位相変化が検出器アレイの幅にわたるモアレ縞でカバーされるように位置ずれされる、請求項１乃至４の何れか一項に記載のＸ線撮像システム。
【請求項６】
検査中の対象物と少なくとも１つの格子との間の相対的移動のための移動アレンジメントが提供され、
ｉ）前記移動アレンジメントは、前記干渉計ユニットの少なくとも１つの格子をその格子面においてステッピングさせるためのステッピングアレンジメントとして提供され、又は
ｉｉ）対象物支持体が提供されて、前記対象物支持体と前記微分位相コントラストセットアップとの間の相対的移動が提供され、少なくとも１つの画像取得のためのスキャンの間、格子は互いに一定の位置合わせで提供され、
ｉｉ１）前記対象物支持体は固定されて提供され、前記微分位相コントラストセットアップがＸ線方向に対して横断方向に移動され、若しくは
ｉｉ２）前記微分位相コントラストセットアップは固定されて提供され、前記対象物支持体が前記Ｘ線方向に対して横断方向に移動される、
請求項１乃至５の何れか一項に記載のＸ線撮像システム。
【請求項７】
ａ）Ｘ線源と、Ｘ線の検出器と、ソース格子、位相格子、及び分析格子を有する格子アレンジメントと、を具備する微分位相コントラストセットアップを有する、微分位相コントラスト撮像用のＸ線撮像システムを用いて、少なくとも第１の微分位相コントラスト撮像のＸ線スキャン画像を取得するステップであって、ここでは前記ソース格子は、前記検出器の平面においてモアレ縞が検出可能であるように、干渉計ユニットに対して位置ずれされるステップと、
ｂ）Ｘ線放射に際して前記検出器によって提供される信号におけるモアレパターンを検出するステップと、
ｃ）所定のモアレパターンを達成するために、前記ソース格子を並進させるための移動信号を計算するステップと、
ｄ）前記移動信号に基づいて、前記ソース格子の位置決めを少なくともＸ線投射方向に調節するステップと、
ｅ）少なくとも１つの更なる微分位相コントラスト撮像のＸ線スキャン画像を取得するステップと、
を有する、微分位相コントラスト撮像用のＸ線撮像システムにおいて位置ずれを処理するための方法。
【請求項８】
ステップａ）において、異なる投射角度に対して複数の第１の微分位相コントラスト撮像のＸ線スキャン画像が取得され、前記スキャン画像は、各投射角度に対する前記ソース格子の位置を個々に調節するための基準パターンとして提供される、請求項７に記載の方法。
【請求項９】
処理ユニットによって実行されるときに、請求項７又は８に記載の方法を実施する、請求項１乃至６の何れか一項に記載のＸ線撮像システムを制御するためのコンピュータプログラム。
【請求項１０】
請求項９に記載のコンピュータプログラムを記憶したコンピュータ可読媒体。
【発明の詳細な説明】
【技術分野】
【０００１】
本発明は、微分位相コントラスト撮像用のＸ線撮像システム、微分位相コントラスト撮像用のＸ線撮像システムにおいて位置ずれを処理するための方法、コンピュータプログラム要素、及びコンピュータ可読媒体に関する。
【背景技術】
【０００２】
微分位相コントラスト撮像（ＤＰＣＩ）は、Ｘ線撮像の診断価値を改善する可能性を有する新たな技術である。例えば、この技術の１つのアプリケーションは、マンモグラフィである。ＤＰＣＩシステムにおいて、Ｘ線源と検出器との間に３つの格子を備えたセットアップが用いられる。画像取得のために、これら格子のうちの２つの異なる相対位置におけるいくつかのＸ線画像が提供される。格子はわずか数マイクロメートルのオーダのピッチを有するので、格子の相対移動を実行するステッピング装置の正確性への、及びシステムの位置合わせに対しても、かなり厳しい要件がある。例えば乳房を検査するときといった、より大きな対象物に対しては、このスキャン方向に平行な仮想位相ステッピングを含む、撮像システムに対する対象物のスキャンを用いることによって、仮想位相ステッピングが提供される。例えば、スウェーデンのフィリップス所有のセクトラ社から知られるマンモグラフィでのアプリケーションの例のように、撮像システムが検体／対象物に対して移動されるか、又は例えばセキュリティスクリーニング若しくは手荷物検査のために、対象物／検体が固定された撮像システムに対して移動されるかのいずれかである。しかしながら、これらのセットアップ全てに対する要件は、幅Ｄにわたって、すなわちスキャン方向Ｘと平行に全ての検出ライン全域で、干渉計すなわち分析格子Ｇ２及び位相格子Ｇ１の、少なくとも１つの干渉縞周期の位相シフトが現れることである。スキャンの間、対象物／検体の個々の部分はそれぞれ、異なる検出ラインを連続的に通過し、したがって干渉計の異なる位相状態を経る。次いでスキャン中に取り込まれた検出ライン信号の評価によって、位相検索がなされる。要件として、２つの格子Ｇ１とＧ２との、すなわち位相格子と分析格子との間の距離は、正確に調節されなければならない。更に、ソース格子Ｇ０と位相格子Ｇ１との間の距離も、全ての場合において正確に位置合わせされなければならない。しかしながら、例えば病院環境において、こうした干渉計を調整及び安定化することは、不必要な時間を消費し、かつ高コストである恐れがある。
【発明の概要】
【発明が解決しようとする課題】
【０００３】
したがって、微分位相コントラスト撮像システムにおける、製造及びメンテナンスのための事前調整及び調節の要件の軽減を提供する必要がある。
【課題を解決するための手段】
【０００４】
本発明の目的は独立請求項の主題によって解決され、更なる実施形態は従属請求項に組み込まれる。
【０００５】
本発明の以下に説明される態様は、微分位相コントラスト撮像用のＸ線撮像システム、及び微分位相コントラスト撮像用のＸ線撮像システムにおいて位置ずれを処理するための方法だけでなく、コンピュータプログラム要素及びコンピュータ可読媒体にも適用されることに留意されたい。
【０００６】
本発明の第１の態様によると、Ｘ線源及びＸ線検出器と、格子アレンジメントと、検査中の対象物と格子アレンジメントの格子の少なくとも１つの格子との間の相対的移動のための移動アレンジメントとを具備する微分位相コントラストセットアップを有する、微分位相コントラスト撮像用のＸ線撮像システムが提供される。格子アレンジメントは、ソース格子、位相格子、及び分析器格子を有する。ソース格子はＸ線源と位相格子との間に配置され、分析器格子は位相格子と検出器との間に配置される。更に、処理ユニットと並進アレンジメントとが提供される。並進アレンジメントは、ソース格子を並進させるために提供される。位相格子、分析格子、及び検出器は、干渉計ユニット内に位相格子と分析器格子とが互いに平行に据え付けられる固定の当該干渉計ユニットとして提供される。ソース格子は、検出器の平面においてモアレ縞が検出可能であるように、干渉計ユニットに対して位置ずれされる。処理ユニットは、Ｘ線放射に際して検出器によって提供される信号におけるモアレパターンを検出する。処理ユニットは更に、所定のモアレパターンを達成するためにソース格子を並進させるための並進信号を計算する。並進アレンジメントは、並進信号の値に基づいて、ソース格子の位置決めを少なくともＸ線投射方向に調節する。
【０００７】
ソース格子と位相格子との間の距離は距離Ｌとして称され、位相格子と分析格子との間の距離は距離Ｄとして称される。距離Ｄの不正確な調節は、距離Ｌの調節によって補正される。したがって、距離Ｄの位置ずれ、すなわちプリセット離調されたＤは、Ｌの調節によって補正され得る。ここでは、ミリメートル未満の範囲での精度で十分である。干渉計ユニットは、検出ユニットとも称される。位置ずれは、ソース格子と干渉計ユニットとの互いに対するずれもまた含む。
【０００８】
例示的な実施形態によると、並進アレンジメントは、ソース格子を傾ける。
【０００９】
例示的な実施形態によると、並進アレンジメントは、Ｘ線源ユニット及び／又はＸ線検出ユニットを位置合わせするための少なくとも１つのアクチュエータを有する。
【００１０】
例示的な実施形態によると、少なくとも１つのアクチュエータは、圧電アクチュエータ及び／又はモータ駆動のマイクロメータねじとして提供される。モータ駆動のマイクロメータねじはまた、マイクロメータヘッドとして提供されてもよい。少なくとも１つのアクチュエータは、約１マイクロメートル〜約１０ミリメートルの範囲での移動を提供する。実施例によると、アクチュエータの位置合わせの精度は、プラス／マイナス約０．１マイクロメートルである。
【００１１】
例示的な実施形態によると、ソース格子は、少なくとも２πの位相変化が検出器アレイの幅にわたるモアレ縞でカバーされるように位置ずれされる。
【００１２】
例示的な実施形態によると、検査中の対象物と少なくとも１つの格子との間の相対的移動のための移動アレンジメントが提供される。例えば、移動アレンジメントは、干渉計ユニットの少なくとも１つの格子をその格子面においてステッピングさせるためのステッピングアレンジメントとして提供される。
【００１３】
代替的に、対象物支持体が提供されて、対象物支持体と微分位相コントラストセットアップとの間の相対的移動が提供され、少なくとも１つの画像取得のためのスキャンの間、格子は互いに一定の位置合わせで提供される。第１の実施例によると、対象物支持体は固定されて提供され、微分位相コントラストセットアップがＸ線方向に対して横断方向に移動される。第２の実施例によると、微分位相コントラストセットアップは固定されて提供され、対象物支持体がＸ線方向に対して横断方向に移動される。例えば、ステッピングアレンジメントとしての移動アレンジメントの場合、ソース格子又は干渉計ユニットをそれの格子面においてステッピングするためのステッピングアレンジメントが提供される。干渉計ユニットの格子のうちの１つがステッピングされる場合、このステッピングアレンジメントは、プラス／マイナス０．１マイクロメートル未満の精度で提供され得る。
【００１４】
本発明の第２の態様によると、以下のステップを有する、微分位相コントラスト撮像用のＸ線撮像システムにおいて位置ずれを処理するための方法が提供される。
ａ）第１のステップでは、Ｘ線源と、Ｘ線検出器と、ソース格子、位相格子、及び分析格子を有する格子アレンジメントとを具備する微分位相コントラストセットアップを有する、微分位相コントラスト撮像用のＸ線撮像システムを用いて、少なくとも第１の微分位相コントラスト撮像のＸ線スキャン画像が取得される。ソース格子は、検出器の平面においてモアレ縞が検出可能であるように、干渉計ユニットに対して位置ずれされる。
ｂ）第２のステップでは、Ｘ線放射に際して検出器によって提供される信号内にモアレパターンが検出される。
ｃ）第３のステップでは、所定のモアレパターンを達成するために、ソース格子を並進するための並進信号が計算される。
ｄ）第４のステップでは、並進信号に基づいて、ソース格子の位置決めが少なくともＸ線投射方向に調節される。
ｅ）第５のステップでは、少なくとも１つの更なる微分位相コントラスト撮像のＸ線スキャン画像が取得される。
【００１５】
「モアレパターン」としても知られる「モアレ縞」は、ほぼ同一のピッチを有する２つのグリッドを、平行に、また、傾斜した構成においてのいずれでも、重ね合わせるときに現れる。例えば、位相コントラスト撮像セットアップにおける一方のグリッドが、位相格子Ｇ１によってＸ線ビームの干渉パターンとしてもたらされる場合、他方のグリッドは分析器グリッドＧ２である。
【００１６】
例示的な実施形態によると、ステップａ）において、異なる投射角度に対して複数の第１の微分位相コントラスト撮像のＸ線スキャン画像が取得され、当該スキャン画像は、各投射角度に対するソース格子の位置を個々に調節するための基準パターンとして提供される。
【００１７】
本発明の態様によると、調整及び調節の手順の数は最小限に低減され、機械的調節、及び機械的安定性への要求のために必要な精度は、マイクロメートル未満の範囲から、好ましくはミリメートル未満又は更に高い範囲へとシフトされる。このことは、例えばソース格子Ｇ０の移動を提供することによって達成される。したがって、互いに平行に取り付けられたＧ１とＧ２との格子面を有する、コンパクトな固定の干渉計ユニットが提供され得る。例えば、低〜中エネルギのＸ線干渉法において見られる通常のグリッドピッチの値に対し、Ｇ２構造体に対するＧ１のグリッドラインの平行度は、０．１ミリラジアン前後、又はより良好でなければならない。発生する位置ずれは、グリッド構造に垂直なモアレ縞成分の出現の原因となり得る。グリッド構造の方向に平行なモアレ縞の数は、Ｇ１とＧ２との間の距離及びＧ０とＧ１との間の距離に依存する。より正確には、モアレ縞の数は、距離Ｄの距離Ｌに対する比率に依存する。したがって、距離Ｄの位置ずれ、すなわちプリセット離調されたＤは、Ｌの調節によって補正され得る。ここでは、ミリメートル未満の範囲での精度で十分である。残る全体の位置合わせは、グリッドＧ０すなわちソース格子と、位相格子及び分析格子によって表される干渉計との間の距離の調整である。例えば、これはＸ線管、干渉計、及び検出ユニットを支持する固定のガントリーに据え付けられた線形並進載物台の補助によってなされ得る。距離Ｌは、例えば、少なくとも１つの完全なモアレ縞が検出器の幅Ｄにわたって現れるような態様で、並進載物台によって調整されなければならない。モアレ縞の数は更に増加され得る。しかしながら、上限は、例えば縞当たり４を下回る検出ラインの数によって達せられる。
【００１８】
本発明のこれらの及び他の態様は、以下に説明される実施形態から明らかであり、以下に説明される実施形態を参照して解明される。
【図面の簡単な説明】
【００１９】
本発明の例示的な実施形態は、以下の図面を参照して以下に説明される。
【００２０】
【図１】第１の実施例における概略的なセットアップでのＸ線撮像システムの実施例を示す。
【図２ａ】第１の更なるセットアップを示す。
【図２ｂ】第２の更なるセットアップを示す。
【図３ａ】移動アレンジメントの第１の実施例に関するＸ線撮像システムの別の実施例を示す。
【図３ｂ】移動アレンジメントの第２の実施例に関するＸ線撮像システムの別の実施例を示す。
【図３ｃ】移動アレンジメントの第３の実施例に関するＸ線撮像システムの別の実施例を示す。
【図４】微分位相コントラスト撮像用のＸ線撮像システムにおいて位置ずれを処理するための方法の実施例の基本的なステップを示す。
【図５】微分位相コントラスト撮像用のＸ線撮像システムの実施例の別のセットアップを示す。
【発明を実施するための形態】
【００２１】
図１は、Ｘ線源１４とＸ線検出器１６とを具備する微分位相コントラストセットアップ１２を有する、微分位相コントラスト撮像用のＸ線撮像システム１０を示す。更に、ソース格子２０と、位相格子２２と、分析器格子２４とを有する格子アレンジメント１８が提供される。ソース格子はＸ線源と位相格子との間に配置され、分析格子は位相格子と検出器との間に配置される。更に、検査中の対象物と少なくとも１つの格子との間の相対移動のための移動アレンジメントが提供される（更には示されていない）。点線の楕円形の構造物２６は対象物を示し、また、扇形の構成のＸ線ビーム２８もＸ線投射方向３０と共に示されている。更に、処理ユニット３２と、ソース格子を並進させるための並進アレンジメント３４とが提供される。位相格子、分析格子、及び検出器は、干渉計ユニット３６内に位相格子と分析器格子とが互いに平行に据え付けられる固定の干渉計ユニット３６として提供される。
【００２２】
ソース格子は、検出器１６の平面においてモアレ縞が検出可能であるように、干渉計ユニット３６に対して位置ずれされる。処理ユニット３２は、Ｘ線放射に際して検出器１６によって提供される信号におけるこうしたモアレパターンを検出する。処理ユニット３２は更に、所定のモアレパターンを達成するためにソース格子２０を並進させるための、矢印３８で示される移動信号を計算する。両方向矢印４０は、Ｘ線投射方向３０での平行移動を示す。並進アレンジメント３４は、並進信号の値に基づいて、ソース格子２０の位置決めを少なくともＸ線投射方向３０に調節する。
【００２３】
例えば、更には示されないが、並進アレンジメント３４はソース格子２０を傾ける。
【００２４】
図２に示されるように、並進アレンジメント３４は、Ｘ線源ユニット及び／又はＸ線検出ユニットを位置合わせするための少なくとも１つのアクチュエータ４２を有してよく、例えば、ソース格子２０は、アクチュエータ４２としての圧電アクチュエータ又はモータ駆動のマイクロメータねじによって移動されてよい。もちろん、図２ｂに示されるように、干渉計ユニットを、第２の両方向矢印４４で示されるようにソース格子２０及びＸソース１４に対して移動させるための、アクチュエータ４２を提供することも可能である。
【００２５】
図３ａ、図３ｂ、及び図３ｃに示されるように、検査中の対象物と、少なくとも１つの格子との間の相対的移動のための、移動アレンジメント４６が提供される。図３ａに示されるように、移動アレンジメントは、例えば、干渉計ユニット３６の位相格子を、第３の両方向矢印５０で示されるように、それの格子面においてステッピングさせるための、ステッピングアレンジメント４８として提供される。図３ａに示される実施例によると、ソース格子２０もまた、Ｘ線投射方向３０に移動され、すなわち位置合わせされてよく、上述の両方向矢印４０で示される。
【００２６】
図３ｂに示されるように、移動アレンジメント４６はまた、対象物支持体５２を備えて、対象物支持体と微分位相コントラストセットアップ１２との間の相対的移動を備えてもよく、少なくとも１つの画像取得のためのスキャンの間、格子は互いに一定の位置合わせで提供される。図３ｂにおける対象物支持体は固定されて提供され、微分位相コントラストセットアップは、例えばＸ線源１４の場所の周りの枢動を示す矢印５４で示される枢動移動によって、Ｘ線方向に対して横断方向に移動される。例えば、こうした移動アレンジメント４６は、マンモグラフィ用に提供され得る。乳房圧迫パドル等のマンモグラフィ検査装置の更なる重要な要素は、更には示されないことに留意されたい。
【００２７】
図３ｃによると、移動アレンジメント４６は、例えば手荷物検査用に、固定された微分位相コントラストセットアップを備えるが、コンベヤベルト方向の矢印５６で示されるような、Ｘ線方向に対して横断方向での移動のため、例えばコンベヤベルトといった対象物支持体５２´を備える。
【００２８】
図４は、微分位相コントラスト撮像用のＸ線撮像システムにおいて位置ずれを処理するための方法１００の実施例を示す。第１のステップ１１０では、Ｘ線源と、Ｘ線の検出器と、ソース格子、位相格子、及び分析器格子を有する格子アレンジメントと、を具備する微分位相コントラストセットアップを有する、微分位相コントラスト撮像用のＸ線撮像システムを用いて、少なくとも第１の微分位相コントラスト撮像のＸ線スキャン画像が取得される。ソース格子は、検出器の平面においてモアレ縞が検出可能であるように、干渉計ユニットに対して位置ずれされる。第２のステップ１１２では、Ｘ線放射に際して検出器によって提供される信号におけるモアレパターンが検出される。第３のステップ１１４では、所定のモアレパターンを達成するために、ソース格子を並進させるための並進信号が計算される。第４のステップ１１６では、並進信号に基づいて、ソース格子の位置決めが少なくともＸ線投射方向に調節される。第５のステップ１１８では、少なくとも１つの更なる微分位相コントラスト撮像のＸ線スキャン画像が取得される。第１のステップ１１０はステップａ）と、第２のステップ１１２はステップｂ）と、第３のステップ１１４はステップｃ）と、第４のステップ１１６はステップｄ）と、第５のステップ１１８はステップｅ）とも称される。
【００２９】
示されていない別の実施例によると、ステップａ）において、異なる投射角度に対して複数の第１の微分位相コントラスト撮像のＸ線スキャン画像が取得され、前記スキャン画像は、各投射角度に対するＸソース格子の位置を個々に調節するための基準パターンとして提供される。
【００３０】
図５は、微分位相コントラストセットアップ１２の別の実施例を示し、最初のスタート点がＸ線源１４を表わし、この後にソース格子２０が続く。例えば移動方向６２において、対象物６０を受け入れるための空間５８が提供される。対象物６０は、第１の位置に対しては実線で示され、移動された際の第２の位置に対しては点線のパターン６４で示される。更に、位相格子２２と分析格子２４とは固定のユニットとして提供され、点線枠６６で示される。更に、検出器構造体は検出器１６を示す。検出器は、とりわけ矢印６８で示される検出器幅によって特徴付けられる。更に、位相格子２２と分析格子２４とは、距離７０を備え、位相格子２２はソース格子２０に対して距離７２を備える。また、検出器幅６８は幅Ｄとしても称され、位相格子２２と分析器格子２４との間の距離７０は幅ｄとして称され、ソース格子と干渉計ユニットとの間の距離は距離Ｌとして称される。両方向矢印７４は、＋／−デルタＬの差分７６でソース格子２０の位置合わせ移動を示す。格子アレンジメントとスキャン方向との提供により、曲線のグラフで示される検出器フラックス７８が測定され得る。第１の矢印８０は、グラフ中の最大点に関し、点線矢印８２は、グラフ７８における最小点に関する。
【００３１】
位相コントラストを使用していない理想的なシステムでは、各検出器ラインは測定ノイズのない同じサイノグラムを測定する。上記に説明されたシステムでは、線源と干渉計ユニットとの間のｚの意図的な位置ずれのために、異なる検出器ラインは異なる強度を取得する。この位置ずれは、異なる検出器ラインによって測定される強度を、このずれと反比例する空間的周期λで、あるラインから次のラインへと振動させ、これはモアレ縞と呼ばれる現象である。均一相の取得を保証するために、検出器素子の数Ｎと、２つの検出器の間の距離Ｄと、モアレ周期λとは、次の関係に従わなければならない。
2015529510.tif 000003
ここでｎは検出器アレイ全体当たりの縞周期の数である。したがって、位相のためのサンプリング点の数は、λ／Ｄ＝Ｎ／ｎによって与えられ、少なくとも４を下らないものでなければならず、したがって、Ｎ＝２０の検出器ラインに対しては、ｎは最大で５、典型的には２でなければならない。
【００３２】
本発明の別の例示的な実施形態では、適切なシステム上で、前述の実施形態のうちの１つによる方法のステップを実行することを特徴とする、コンピュータプログラム又はコンピュータプログラム要素が提供される。
【００３３】
したがって、コンピュータプログラム要素は、本発明の実施形態の一部でもあるコンピュータユニットに記憶されてよい。このコンピュータユニットは、上述の方法のステップを実行し又は実行を誘導する。更に、コンピュータユニットは、上述の装置の構成要素を作動させる。コンピュータユニットは、自動的に作動させ、及び／又はユーザの命令を実行してもよい。コンピュータプログラムは、データプロセッサのワーキングメモリ内にロードされてよい。したがって、データプロセッサは、本発明の方法を実行するように装備され得る。
【００３４】
本発明のこの例示的な実施形態は、本発明を最初から直ちに用いるコンピュータプログラムと、既存のプログラムをアップデートによって本発明を用いるプログラムへと変えるコンピュータプログラムとの両方をカバーする。
【００３５】
更に、コンピュータプログラム要素は、前述の方法の例示的な実施形態の手順を充たすための、全ての必要なステップを提供することができる。
【００３６】
本発明の別の例示的な実施形態によると、コンピュータ可読媒体に記憶された、前述により説明されたコンピュータプログラム要素を有する、ＣＤ‐ＲＯＭ等の当該コンピュータ可読媒体が提示される。
【００３７】
コンピュータプログラムは、他のハードウェアと一緒に又はその一部として供給される、光学式記憶媒体又はソリッド・ステート媒体等の、適切な媒体に格納／配布されてよいが、インターネット又は他の有線若しくは無線の遠隔通信システムを介する等、他の形式で配布されてもよい。
【００３８】
しかしながら、コンピュータプログラムは、ワールド・ワイド・ウェブのようなネットワークを通じて提示されてもよく、こうしたネットワークからデータプロセッサのワーキングメモリ内にダウンロードされてよい。本発明の別の例示的な実施形態によると、本発明の前述の実施形態のうちの１つによる方法を実行するコンピュータプログラム要素を、ダウンロードのために利用可能とするための媒体が提供される。
【００３９】
本発明の実施形態は様々な主題を参照して説明されることに留意されたい。具体的には、いくつかの実施形態は方法の種類の請求項を参照して説明される一方で、他の実施形態は装置の種類の請求項を参照して説明される。しかしながら、当業者は上記及び下記の説明から、別段に知らされない限り、ある種類の主題に属する特徴の任意の組合せに加え、別の主題に関する特徴間の任意の組合せもまた本出願で開示されるものと考慮されることを推測するであろう。しかしながら、全ての特徴は、単なる特徴の加算にとどまらない相乗効果を提供しながら組み合わされることができる。
【００４０】
本発明は、図面及び前述の説明において詳細に例示され説明されたが、こうした例示及び説明は、例示的又は典型的であると考えられるべきであり、限定と考えられるべきではない。本発明は、開示された実施形態に限定されない。当業者によって、特許請求された発明を実施するにあたり、図面、明細書、及び従属請求項の研究から、開示された実施形態の他のバリエーションが理解され達成されることができる。
【００４１】
請求項で、「有する」の文言は他の要素やステップを除外するものではなく、不定冠詞「ａ」又は「ａｎ」は複数を除外するものではない。単一のプロセッサ又は他のユニットは、請求項に記載される複数項目の機能を満たすことができる。特定の手段が、相互に異なる従属請求項に記載されているという単なる事実は、これらの手段の組み合わせを有利に使用できないことを意味するわけではない。請求項のいかなる参照符号も範囲を限定するものとして解釈されるべきではない。
【図１】
2015529510.tif 000004
【図２ａ−２ｂ】
2015529510.tif 000005
【図３ａ】
2015529510.tif 000006
【図３ｂ】
2015529510.tif 000007
【図３ｃ】
2015529510.tif 000008
【図４】
2015529510.tif 000009
【図５】
2015529510.tif 000010
【国際調査報告】
2015529510.tif 000011
2015529510.tif 000012